(57)【要約】      （修正有）【課題】保護継電器に備えられた演算増幅回路の増幅率を系統の入力電圧，入力電流に応じて高い精度で調整することができるディジタルポテンショメータを提供する。【解決手段】ディジタルの入力信号に応じて抵抗値を変化させるディジタルポテンショメータにおいて、直列接続された可変の抵抗素子を少なくとも２つ備え、前記抵抗素子のうち少なくとも１つは他の抵抗素子よりも容量が小さいものを適用する。【選択図】図１
2010068572.tif 000002
【特許請求の範囲】
【請求項１】
ディジタルの入力信号に応じて抵抗値を変化させるディジタルポテンショメータであって、
直列接続された可変の抵抗素子を少なくとも２つ備え、前記抵抗素子のうち少なくとも１つは他の抵抗素子よりも容量が小さいものであることを特徴とするディジタルポテンショメータ。
【請求項２】
請求項１記載のディジタルポテンショメータを備えた演算増幅回路と、保護演算処理部を有するディジタル式の保護継電器であって、
前記演算増幅回路は、計器用変成器とアナログ入力回路との間に介挿され、
計器用変成器によって検出されてアナログ入力回路に入力される系統入力電流および系統入力電圧を、監視することを特徴とする保護継電器。
【発明の詳細な説明】
【技術分野】
【０００１】
本発明は、保護継電器に利用される演算増幅回路に使用するディジタルポテンショメータ、および前記演算増幅回路を備えた保護継電器に関する。
【背景技術】
【０００２】
従来の電力系統を保護する保護継電器としては種々のものがあるが、最近では保護演算処理機能を有するコンピュータ等のディジタル装置を用いて電力系統の保護を行う、いわゆるディジタル式の保護継電器が多く採用されている。
【０００３】
図５は、一般的な保護継電器（ディジタル式の保護継電器）の一例を示す全体構成図である。図５に示すように、系統入力電流および系統入力電圧は、アナログ信号として計器用変成器２により検出され、アナログ入力回路３によりディジタル信号に変換され、例えばコンピュータ（マイクロコンピュータ等）の保護演算処理部（ＣＰＵ等）１に出力される。ディジタル式の保護継電器に適用される系統入力電流および系統入力電圧は、系統によりそれぞれ大きさが異なるため、アナログ入力回路３の前に増幅率を調整できる演算増幅回路４を設け、系統入力電流および系統入力電圧に応じて増幅率を変える。
【０００４】
図６は、従来の一般的な演算増幅回路の一例を示す回路図であり、演算増幅器５を用いた非反転増幅回路である。この非反転増幅回路は、例えば入力信号が非反転入力端子に入力されるものであって、演算増幅器５の出力端子とアースとの間に第１の抵抗素子Ｒ１と第２の抵抗素子Ｒ２とを備え、第１の抵抗素子Ｒ１および第２の抵抗素子Ｒ２の中点と反転入力端子との間に、第３の抵抗素子Ｒ３を介挿したものが挙げられる。このような構成の場合の増幅率は、第１の抵抗素子Ｒ１と第２の抵抗素子Ｒ２との抵抗比Ｒ２／Ｒ１により決定される。
【０００５】
この演算増幅器５を用いた非反転増幅回路で増幅率を調整する手法としては、それぞれ抵抗比Ｒ２／Ｒ１が異なる複数個の非反転増幅回路を設け、それら各非反転増幅回路の中から系統電流または系統電圧に応じたもの（信号を入力するもの）を一つ選択する手法や、第１の抵抗素子Ｒ１または第２の抵抗素子Ｒ２を複数個設け、それら各抵抗素子の中から系統電流または系統電圧に応じたものを選択し適用することによって抵抗比Ｒ２／Ｒ１を調整する手法や、第１の抵抗素子Ｒ１または第２の抵抗素子Ｒ２のうち少なくとも一方を可変にする（メカニカルポテンショメータを適用する）ことで抵抗比（増幅率）Ｒ２／Ｒ１を調整する手法等が挙げられる。
【０００６】
演算増幅回路においては、例えばゲイン（増幅率）調整のために抵抗のトリミングを行うことが可能なものが知られている（例えば、特許文献１）。
【特許文献１】特開平９−３２６６４５号公報（段落［００２３］〜［００３１］、図４）
【発明の開示】
【発明が解決しようとする課題】
【０００７】
このような保護継電器に備えられた演算増幅回路に要求される特性としては、系統の入力電圧，入力電流に応じて演算増幅回路の増幅率を高い精度で変更（調整）することが挙げられる。
【０００８】
しかしながら、複数の演算増幅回路を備えることによって増幅率を調整する構成および複数の抵抗素子を備え、その抵抗素子の中から使用する抵抗素子を選択することによって増幅率を調整する手法では、増幅率を高い精度で変更（調整）する場合、演算増幅回路の設定が多くなってしまうこと，抵抗の種類や組み合わせが多くなってしまうこと，実装面積が大きくなってしまうこと等の問題があった。
【０００９】
また、第１の抵抗素子Ｒ１または第２の抵抗素子Ｒ２にメカニカルポテンショメータを適用する手法では、抵抗の種類や組み合わせが多くなることを防止することができるものの、人手による調整が必要となり、演算増幅回路の設定に時間がかかる。また、実装面積が大きくなってしまうこと等の問題があった。
【００１０】
さらに、演算増幅回路の設定の簡略化および実装面積の小型化を図るために、第１の抵抗素子Ｒ１または第２の抵抗素子Ｒ２の何れかに対し、ディジタルポテンショメータを適用することも考えられたが、一般的なディジタルポテンショメータにおける抵抗値の変更（調整）は、抵抗端子間における等分された範囲での設定に限定されるため、増幅率を高い精度で変更することができなかった。
【００１１】
以上示したようなことから、保護継電器の増幅演算回路に備えられたディジタルポテンショメータにおいては、高い精度で抵抗値を変更できることが要求される。
【００１２】
また、保護継電器においては、増幅演算回路の抵抗の種類や組み合わせが多くなることを防止し、実装面積の小型化，設定の簡略化を図ると共に、系統の入力電圧および入力電流に応じて、増幅率を高い精度で変更できることが要求される。
【課題を解決するための手段】
【００１３】
本発明は、前記従来の問題に鑑み、案出されたもので、請求項１記載の発明は、ディジタルの入力信号に応じて抵抗値を変化させるディジタルポテンショメータであって、直列接続された可変の抵抗素子を少なくとも２つ備え、前記抵抗素子のうち少なくとも１つは他の抵抗素子よりも容量が小さいものであることを特徴とする。
【００１４】
請求項２記載の発明は、請求項１記載のディジタルポテンショメータを備えた演算増幅回路と、保護演算処理部を有するディジタル式の保護継電器であって、
前記演算増幅回路は、計器用変成器とアナログ入力回路との間に介挿され、計器用変成器によって検出されてアナログ入力回路に入力される系統入力電流および系統入力電圧を、監視することを特徴とする。
【００１５】
請求項１記載の発明のような構成によれば、容量の小さな抵抗素子で抵抗値を微調整することが可能となる。
【００１６】
請求項２記載の発明のような構成によれば、２つの抵抗素子を内蔵するポテンショメータを備えた演算増幅回路を有することにより、抵抗の種類および組み合わせを増加しなくとも、増幅率を微調整することが可能となる。
【発明の効果】
【００１７】
以上の説明で明らかなように、請求項１記載の発明によれば、抵抗値を高い精度で変更（調整）することが可能となる。
【００１８】
請求項２記載の発明によれば、増幅率を高い精度で変更（調整）できるとともに、抵抗の種類や組み合わせを必要最小限に止めることができ、実装面積の小型化，設定の簡略化を図ることが可能となる。
【発明を実施するための最良の形態】
【００１９】
以下本発明の実施形態に係るディジタルポテンショメータおよび保護継電器を実施例に基づいて詳細に説明する。なお、図５，６と同様なものについては同一符号等を用い、その詳細な説明を適宜省略する。
【００２０】
本実施形態は、保護継電器および保護継電器に備えられた演算増幅回路に使用するディジタルポテンショメータに関するものであって、前記演算増幅回路に接続され増幅率を決定する複数個の抵抗素子のうち少なくとも２つはディジタルポテンショメータから成り、前記ディジタルポテンショメータの少なくとも一つの抵抗素子により増幅率を微調整するものである。
【００２１】
たとえば、演算増幅回路に非反転増幅回路を適用し、演算増幅器の出力端子とアースとの間に備えられた第１の抵抗素子と第２の抵抗素子にディジタルポテンショメータを適用し、第２の抵抗素子で増幅率を微調整させる。これにより、抵抗の種類や組み合わせを必要最小限に止めることができ、実装面積の小型化，設定の簡略化を図ると共に、高い精度で増幅率を変更（調整）することが可能となる。
【００２２】
すなわち、一般的なディジタルポテンショメータにおける抵抗値の調整は、抵抗素子間を接触子の数で等分した範囲内における設定に限定されるのに対し、第１の抵抗素子と第２の抵抗素子の両方にディジタルポテンショメータを適用することで、高い精度で抵抗値を変更（調整）することが可能となる。たとえば、従来のように、抵抗値が１０ｋΩに対し９個の接触子が備えられた抵抗素子のみを用いた場合、１ｋΩ単位の調節に限られてしまうが、本実施例のように、抵抗値１ｋΩに対し９個の接触子を備えた抵抗素子を追加して用いた場合には、０．１ｋΩ単位の調整も可能となる。一般的には６４，１２８，２５６に分割され、分割数は多いほど精度は良くなる。その場合、微調整用の抵抗素子の容量は粗調整用の抵抗素子の容量の１０分の１に設定する。例えば、粗調整用の抵抗素子の容量が１０ｋΩで６４分割の場合、微調整用の抵抗素子で１／６４＝０．０１５６２ｋΩ単位の調整が可能であり，粗調整用の抵抗素子の容量が１００ｋΩで６４分割の場合、微調整用の抵抗素子で０．１５６２ｋΩ単位の調整が可能となる。
【００２３】
［実施例］
図１Ａは、本実施例にかかる保護継電器（ディジタル式の保護継電器）の全体構成図である。図１Ａに示すように本実施例における保護継電器は、計器用変成器２と、系統によって異なる電流および電圧を増幅することによって調整する演算増幅回路４と、アナログ入力回路３と、保護演算処理部１と、を主な構成としている。
【００２４】
計器用変成器２においては、計器用変流器および計器用変圧器を構成し、たとえば配電線の系統電流および系統電圧を計測する。
【００２５】
計器用変成器２によって計測された電流信号，電圧信号は、系統によって異なるため、増幅率を変更できる演算増幅回路４によって調整された後、アナログ入力回路３に入力される。演算増幅回路４においては、例えば図１Ｂに示すような、非反転増幅回路が適用される。非反転増幅回路では、演算増幅器５の非反転入力端子に入力信号が入力され、その入力信号が交流ならば出力信号は反転せずに同相となり、入力信号が直流ならば同じ符号で増幅された出力信号が得られる。演算増幅器５の出力端子とアースとの間には、第１の抵抗素子Ｒ１と第２の抵抗素子Ｒ２とが設けられ、第１の抵抗素子Ｒ１および第２の抵抗素子Ｒ２の中点と反転入力端子との間には、第３の抵抗素子Ｒ３が介挿される。このときの増幅率は、第１の抵抗素子Ｒ１と第２の抵抗素子Ｒ２との抵抗比により決定される。増幅率は下記（１）式により求められる。
【００２６】
増幅率＝（Ａ＋Ｂ）／Ｂ…（１）
前記（１）式において、Ａ：Ｒ２を可変して得た抵抗値＋Ｒ１のＲ２側の抵抗値、Ｂ：Ｒ１のＲ２側以外の抵抗値とする。
【００２７】
アナログ入力回路３においては、系統の入力電気量に含まれるノイズを除去するアナログフィルタ（図示せず）と、入力電気量を所定のサンプリング周波数によってサンプリングするマルチプレクサ（図示せず）と、このマルチプレクサによりサンプリングされた信号をディジタル信号に変換するＡ／Ｄ変換器（図示せず）と、を構成している。
【００２８】
アナログ入力回路３から出力されたディジタル信号を取り込む保護演算処理部１においては、継電器処理プログラム（例えば、ＲＡＭ，ＲＯＭ等の記憶手段に記憶され、コンピュータを用いて実行可能なプログラム）等に基づいて、実効値演算，系統状態の監視等を行う。この実効値演算では、アナログ入力回路３から出力されたディジタル信号に基づいて、系統電流および系統電圧の実効値の演算を行う。系統状態の監視においては、実効値演算により得られた実効値の変化を読み取り、配電線の地絡，短絡等の系統状態を監視する。
【００２９】
本実施例の演算増幅回路４の第１の抵抗素子（以下、粗調整用抵抗素子と称する）Ｒ１，第２の抵抗素子（以下、微調整用抵抗素子と称する）Ｒ２においては、ディジタルポテンショメータ６が適用される。ディジタルポテンショメータ６のポテンショメータ自体は、メカニカルポテンショメータと略同様の構成であるが、メカニカルポテンショメータの制御方法は手作業により動作させるのに対し、ディジタルポテンショメータの制御方法は、通常、保護演算処理部１等によりディジタル制御される。
【００３０】
図２は保護演算処理部１から演算増幅回路４のディジタルポテンショメータ６への制御接続例である。保護演算処理部１とディジタルポテンショメータ６においては、一般的に４種類の接続方法があり、ＳＰＩ（シリアル・ペリフェラル・インターフェース），２線式インターフェース，３線式インターフェース，ＵＰ／ＤＯＷＮインターフェースの中から何れかが採用され、図２に示すように、その接続を通じて受けた命令をディジタルポテンショメータ６内の制御処理部６ａのＳＰＩがデコードして抵抗値を変更する。
【００３１】
図３は本実施例におけるディジタルポテンショメータ６内部の構成の一例を示す。ディジタルポテンショメータ６内の制御処理部６ａは、外部からの指令を受けるインターフェース（例えばＳＰＩ）７と、粗調整用抵抗素子Ｒ１，微調整用抵抗素子Ｒ２のうち何れかを選択するコントロールロジック８と、ポジション（接触点）データを格納する記憶手段であって電源が低下しても該データを保持するデータレジスター部（以下、ＮＶＲＡＭと称する）９と、粗調整用抵抗素子Ｒ１および微調整用抵抗素子Ｒ２のポジション（接触点）を制御する制御レジスター部（以下、ＷＣＲと称する）１０と、を構成している。コントロールロジック８で選択された抵抗素子（粗調整用抵抗素子Ｒ１，微調整用抵抗素子Ｒ２のうち何れか）は、インターフェース７で受けたディジタル信号に基づいて、ＷＣＲ１０を通じてポジション（接触点）が設定され、そのポジションデータがＮＶＲＡＭ９に格納される。電源立ち上げ時には、ＮＶＲＡＭ９からポジションデータを読み出しＷＣＲ１０を設定することにより、前回設定されたポジション（接触点）を再現することができる。
【００３２】
図４は、本実施例におけるディジタルポテンショメータのポテンショメータ部の構成の一例を示すものであり、固定端子ＡX，ＢXと、摺動子用端子ＷXと、摺動子Ｗと、固定端子ＡXと固定端子ＢXとの間の抵抗ＲABと、を主として構成されている。抵抗ＲABは、接触点（例えば１２８ポイントの接触点）１１を持ち、該接触点１１によって複数個の内部抵抗ＲSが存在するように等分（例えば１２８個に等分）されている。前記接触点１１のうち何れか１つの点で、摺動子Ｗに接続され、該摺動子Ｗの位置によってＲWAおよびＲWBの抵抗値が決定される。すなわち、接触点の数が１２８ポイントとすると、各内部抵抗ＲSの抵抗値は、下記式により算出することができる。
【００３３】
「内部抵抗ＲSの抵抗値」＝ＲAB／１２８
例えば、Ｒが１０ｋΩの製品の場合、各内部抵抗ＲSの抵抗値は７８Ω（すなわち、１０ｋΩ／１２８＝７８Ω）となる。また、固定端子ＡXおよびＢXと摺動子Ｗとの間における内部抵抗ＲSの数と、内部抵抗ＲSの抵抗値７８Ωと、の積によって抵抗ＲWAおよびＲWBを導き出すことができる。
【００３４】
本実施例におけるディジタルポテンショメータは、例えば上記のような構成のポテンショメータ部が少なくとも２つ直列に備えるとともに、そのうち少なくとも１つは容量の小さいものが適用される。
【００３５】
ディジタルポテンショメータ６の自動調整においては、まず保護継電器を自動調整モードに設定（例えば、保護演算処理部１を備えたコンピュータにより設定）して系統入力から基準入力に切り替え、アナログ入力回路３で変換されたディジタル信号の値を、保護演算処理部１により基準値と比較し、その比較結果に基づいて、粗調整用抵抗素子Ｒ１および微調整用抵抗素子Ｒ２の各調整の指令（増幅率）をディジタルポテンショメータ６内の制御処理部６ａに対して出力する。その後、保護演算処理部１からの指令に基づいて、ディジタルポテンショメータ６の制御処理部６ａから粗調整用抵抗素子Ｒ１に対し、抵抗値の増，減の指令を出力し、次に微調整用抵抗素子Ｒ２に対し、抵抗値の増，減の指令を出力することにより、基準入力に係るディジタル信号の値が基準値の誤差範囲内となるように粗調整用抵抗素子Ｒ１および微調整用抵抗素子Ｒ２の各抵抗値を設定する。基準入力に係るディジタル信号の値が誤差範囲内となった後、ディジタルポテンショメータ６の自動調整が完了となる。前記の各抵抗値の設定データ（接触子のポジション設定等のデータ）は、例えばディジタルポテンショメータ６内の記憶手段等に記憶しておいても良い。
【００３６】
自動調整モード以外では、ディジタルポテンショメータ６の粗調整用抵抗素子Ｒ１および微調整用抵抗素子Ｒ２の各抵抗値は変化させないものとする。例えば、前記の各抵抗値の設定データがディジタルポテンショメータ６等に記憶されている場合、電源立ち上げ時に設定データを読み出して各抵抗素子（粗調整用抵抗素子Ｒ１および微調整用抵抗素子Ｒ２）の設定（自動調整モードによる設定の再現）を行うことができる。
【００３７】
次に、具体的な調整例として、図１Ｂのような非反転増幅回路を用いて以下に説明する。ここでは、粗調整用抵抗素子Ｒ１として接触点１２８ポイントの１００ｋΩ，微調整用抵抗素子Ｒ２として接触点１２８ポイントの１０ｋΩのものをそれぞれ適用し、粗調整用抵抗素子Ｒ１がアースと微調整用抵抗素子Ｒ２との間に存在した構成とし、基準入力に対し例えば最大値０．５Ｖを入力して増幅率１０倍を得たい場合を説明する。この場合、演算増幅回路４の増幅率は下記（２）式となる。
【００３８】
増幅率＝（Ａ＋Ｂ）／Ｂ…（２）
ここで、Ａは、Ｒ２の可変した抵抗値（Ｒ２）＋Ｒ１の可変したＲ２側抵抗値（Ｒ１Ａ）を示し、Ｂは、Ｒ１の可変したアース側抵抗値（Ｒ１Ｂ）を示す。これを上記（２）式に代入すると、下記（３）式となる。
【００３９】
増幅率＝（Ａ＋Ｂ）／Ｂ＝（Ｒ２＋Ｒ１Ａ＋Ｒ１Ｂ）／Ｒ１Ｂ
＝（Ｒ２＋Ｒ１）／Ｒ１Ｂ…（３）
上記（３）式より、粗調整用抵抗素子Ｒ１によってＲ１，Ｒ１Ｂを決定すると微調整用抵抗素子Ｒ２を変化させて微調整が可能であることが読み取れる。微調整用抵抗素子Ｒ２は、中間位置５ｋΩ位置（６４タップ）としておく。増幅率を１０倍にするための粗調整を行う場合、粗調整用抵抗素子Ｒ１の内部抵抗をＲ，タップ位置をＮとすると、上記増幅率は、下記（４）式となる。
【００４０】
増幅率＝（Ｒ２＋１２８＊Ｒ）／（Ｎ＊Ｒ）…（４）
ここで、微調整用抵抗素子Ｒ２が５ｋΩ（６４タップ）の場合、Ｒ２＝１２８＊Ｒ／２０となるため、増幅率１０とすれば、下記（５）式となる。
【００４１】
１０＝（１２８＊Ｒ／２０＋１２８＊Ｒ）／（Ｎ＊Ｒ）…（５）
上記（５）式からＮは、粗調整用抵抗素子Ｒ１のタップ位置Ｎは下記（６）式となる。
【００４２】
Ｎ＝１３．４≒１３…（６）
上記（６）式により、粗調整用抵抗素子Ｒ１のタップ位置を１３に設定する。Ｒ１Ｂの抵抗値は、下記（７）式となる。
【００４３】
Ｒ１Ｂ＝１３＊１００／１２８＝１０．１５６２５ｋΩ…（７）
この状態でアナログ入力回路３から出力された値を保護演算処理部１にて判定し、管理値範囲内（５．０Ｖ±１０％）であれば、前記の値が管理中心値よりも高い場合、次に制御処理部６ａにおいて、微調整用抵抗素子Ｒ２のタップ位置を−３２タップ移動する。変更後（−３２タップ移動後）、アナログ入力回路３から出力された値が管理値範囲内であるかどうかを保護演算処理部１にて判定する。判定結果が管理値範囲内の場合、微調整用抵抗素子Ｒ２を調整して、より管理中心値に近くなるように調整する。具体的には、管理中心値よりも高ければ、制御処理部６ａにおいて、微調整用抵抗素子Ｒ２を前回制御したタップ値の半分のタップ値である−１６タップ移動する。この様に、微調整用抵抗素子Ｒ２のタップ位置を変更した後、アナログ入力回路３から出力された値が管理中心値に近いかを保護演算処理部１にて判定し、制御処理部６ａにより必要に応じて前回制御したタップ値の半分のタップ値を加減算して管理中心値に近いタップ値に設定する。今回の場合、２０タップで中心値となる。このように、微調整用抵抗素子Ｒ２を最初は中間位置に設定しておき、前回制御したタップ値の半分のタップ位置を調整することで要求に従った増幅値に微調整することができる。
【００４４】
上記のように粗調整用抵抗素子Ｒ１のタップ位置を１３、微調整用抵抗素子Ｒ２のタップ位置を２０とすると、下記（８）式により増幅率は１０倍となる。
【００４５】
増幅率＝（２０＊１０ｋΩ／１２８＋１００ｋΩ）／（１３＊１００ｋΩ／１２８）＝１０倍…（８）
このような判定，調整等の工程を経て、アナログ入力回路３から出力された値が管理中心値でない場合には、該工程を反復し、管理中心値に近い値（変更するタップ値が４以下）になった時点で、前記制御処理部６ａにて微調整用抵抗素子Ｒ２を、＋１，−１タップずつ調整し、より管理中心値に近い値を最終設定とする。
【００４６】
また、ＮＶＲＡＭ９では、タップ位置の設定データ（例えば、最終設定データ）が記録され、例えば新たな調整が行われる場合には、該設定データ（タップ位置等のデータ）がＮＶＲＡＭ９から読み出され、ＷＣＲ１０に設定される。
【００４７】
本実施例のように構成することにより、ポテンショメータは高い精度で抵抗値を変更することが可能となる。また、保護継電器は、抵抗の種類や組み合わせを増加しなくとも、増幅率を微調整することが可能となるため、抵抗の種類や組み合わせを最小限に止めることができると共に、実装面積の小型化が可能となる。また増幅率の変更は保護演算処理部において制御されるため設定の簡略化を図ることが可能となる。
【００４８】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【００４９】
例えば、本実施例では演算増幅回路に非反転増幅回路を適用したが、演算増幅回路に備えられた抵抗素子が、増幅率を決定する構成であれば、例えば、加算増幅回路，反転増幅回路等、種々の構成の演算増幅回路を適宜適用することができる。
【００５０】
また本実施例では、ディジタルポテンショメータ内部の２つの抵抗要素を直列に接続した構成を説明したが、増幅率を決定する抵抗素子が複数であれば、抵抗素子が３個以上の構成でも、並列に接続された構成でも適宜適用可能である。
【００５１】
さらに本実施例では、ディジタル式の保護継電器を適用したが、ディジタルポテンショメータ内の制御処理部に制御信号を送信するディジタル装置を備えた構成であれば、アナログ式の保護継電器でも適宜適用可能である。
【図面の簡単な説明】
【００５２】
【図１】本実施例におけるディジタル式の保護継電器の全体構成図および増幅回路の回路構成図。
【図２】保護演算処理部から増幅回路のディジタルポテンショメータへの制御接続図。
【図３】本実施例におけるディジタルポテンショメータ内部構成図。
【図４】本実施例におけるディジタルポテンショメータのポテンショメータ部の構成図。
【図５】一般的なディジタル式の保護継電器の全体構成図。
【図６】従来の一般的な演算増幅回路の一例を示す回路図。
【符号の説明】
【００５３】
１…保護演算処理部
２…計器用変成器
３…アナログ入力回路
４…増幅回路
５…増幅演算器
６…ディジタルポテンショメータ
Ｒ１…粗調整用抵抗素子
Ｒ２…微調整用抵抗素子
ＡX，ＢX…固定端子
ＷX…摺動子用端子
Ｗ…摺動子
ＲS…内部抵抗
ＲAB…抵抗
【図１】
2010068572.tif 000003
【図２】
2010068572.tif 000004
【図３】
2010068572.tif 000005
【図４】
2010068572.tif 000006
【図５】
2010068572.tif 000007
【図６】
2010068572.tif 000008